(57)【要約】【課題】従来に比して、コンクリート橋脚の構築をより安定的かつ施工性良く行うことを可能とするコンクリート橋脚の構築方法を提供すること。【解決手段】コンクリート橋脚１０の構築位置となる地盤面ａ上にコンクリート橋脚１０の一部を構成する単位プレキャストブロック１１を複数段積みすることによってコンクリート橋脚１０を構築するコンクリート橋脚の構築方法である。単位プレキャストブロック１１の溝部１１ａにジャッキアップ装置１２の油圧ジャッキ１２ａのジグ１２ａ１を保持させながらジャッキアップして単位プレキャストブロック１１の下方に隙間ｂを形成するジャッキアップ工程と、隙間ｂに新たな単位プレキャストブロック１１を挿入する単位プレキャストブロック挿入工程と、を所定回数繰り返すことによって、複数の単位プレキャストブロック１１の段積みを行う。【選択図】　　　図１
2004084322.tif 000002
【特許請求の範囲】
【請求項１】
コンクリート橋脚の構築位置となる地盤面上にコンクリート橋脚の一部を構成する単位プレキャストブロックを複数段積みすることによってコンクリート橋脚を構築するコンクリート橋脚の構築方法であって、
単位プレキャストブロックをその側部にジャッキアップ装置の一部を保持させながらジャッキアップし、前記単位プレキャストブロックの下方に隙間を形成するジャッキアップ工程と、
前記隙間に新たな単位プレキャストブロックを挿入する単位プレキャストブロック挿入工程と、
を所定回数繰り返すことによって複数の単位プレキャストブロックの段積みを行うことを特徴とするコンクリート橋脚の構築方法。
【請求項２】
前記単位プレキャストブロックに対する前記ジャッキアップ装置の一部の保持は、前記単位プレキャストブロックの側面に形成された溝部に、前記ジャッキアップ装置の有するジグを係合させることにより行うことを特徴とする請求項１に記載のコンクリート橋脚の構築方法。
【請求項３】
前記単位プレキャストブロックに複数のケーブル部材の一端をそれぞれ繋ぐとともに、これらケーブル部材の他端を前記単位プレキャストブロックの周囲に設置した複数の巻取装置でそれぞれ緊張状態に巻き取っておくことを特徴とする請求項１または請求項２に記載のコンクリート橋脚の構築方法。
【発明の詳細な説明】
【０００１】
【発明の属する技術分野】
本発明は、単位プレキャストブロックを複数段積みすることによってコンクリート橋脚を構築するコンクリート橋脚の構築方法に関する。
【０００２】
【従来の技術】
従来、コンクリート橋脚の構築は、基礎を構築後、先ず、所定高さまで足場を構築し、次にこの足場を利用して所定高さまで鉄筋を配筋するとともに型枠を配設し、次に所定高さまでコンクリートを打設する、という工程を繰り返すことによって行われる。
【０００３】
【発明が解決しようとする課題】
しかしながら、従来の方法においては、工程が進むにつれて施工場所が上方に移動し、鉄筋配筋、型枠配設、コンクリート打設等の作業が長期間にわたって高所作業となり、コンクリート橋脚の構築を安定的に行えないという問題があった。
また、上空部に既設建築物等による高さ制限がある場所においては、高所となる施工場所に部材を調達するための、作業高さの高いクレーン等を用いることができないという問題もあった。
【０００４】
本発明の課題は、コンクリート橋脚の構築をより安定的かつ施工性良く行うことを可能とするコンクリート橋脚の構築方法を提供することである。
【０００５】
【課題を解決するための手段】
上記課題を解決するため、請求項１に記載の発明は、例えば図１、図３〜図５に示すように、
コンクリート橋脚１０の構築位置となる地盤面ａ上にコンクリート橋脚１０の一部を構成する単位プレキャストブロック１１を複数段積みすることによってコンクリート橋脚１０を構築するコンクリート橋脚の構築方法であって、
単位プレキャストブロック１１をその側部（溝部１１ａ）にジャッキアップ装置１２の一部（油圧ジャッキ１２ａのジグ１２ａ１）を保持させながらジャッキアップし、前記単位プレキャストブロック１１の下方に隙間ｂを形成するジャッキアップ工程と、
前記隙間ｂに新たな単位プレキャストブロック１１を挿入する単位プレキャストブロック挿入工程と、
を所定回数繰り返すことによって複数の単位プレキャストブロック１１の段積みを行うことを特徴としている。
【０００６】
請求項１に記載の発明によれば、前記ジャッキアップ工程と前記単位プレキャストブロック挿入工程とを所定回数繰り返して単位プレキャストブロックを複数段積みすることによってコンクリート橋脚の構築を行うことができる。この際、前記ジャッキアップ工程と前記単位プレキャストブロック挿入工程とにおける施工場所は地盤面に近い位置での作業となり高所作業が生じないため、コンクリート橋脚の構築を安定的に行うことができる。また、従来のように高所となる施工場所に部材を調達するために、作業高さの高いクレーン等を用いる必要がないため、上空部に既設建築物等による高さ制限がある場所においても施工可能である。さらに、コンクリート橋脚が既製の単位プレキャストブロックで構成されるため、コンクリート品質が向上する。
【０００７】
なお、前記ジャッキアップ装置とは、例えば、ピストンとシリンダとを有する油圧ジャッキを複数有するものである。この場合、複数の油圧ジャッキがそれぞれ単位プレキャストブロックの側部に近接した状態に位置するように構成すればよい。さらにこの場合、単位プレキャストブロックに保持させるジャッキアップ装置の一部とは、例えば、ピストンの先端部である。
【０００８】
なお、前記ジャッキアップ装置でジャッキアップする単位プレキャストブロックとしては、接地した状態の単位プレキャストブロック、すなわち、最下部に位置する単位プレキャストブロックが最も一般的に想定される。しかし、単位プレキャストブロックを２つ以上段積みした後においては、例えば、最下部から２番目、３番目等に位置する単位プレキャストブロックをジャッキアップしてもよい。
【０００９】
なお、前記単位プレキャストブロックに対して前記ジャッキアップ装置の一部を保持させる方法としては、例えば、前記単位プレキャストブロックの側面に形成された溝部に前記ジャッキアップ装置のジグを係合させてもよいし、前記単位プレキャストブロックの側面に形成された突起部を前記ジャッキアップ装置のジグで支持させてもよい。また、前記単位プレキャストブロックの底部と地盤面との間にジャッキアップ装置のジグを挿入してもよい。
【００１０】
請求項２に記載の発明は、例えば図２に示すように、請求項１に記載のコンクリート橋脚の構築方法において、
前記単位プレキャストブロック１１に対する前記ジャッキアップ装置１２の一部（油圧ジャッキ１２ａのジグ１２ａ１）の保持は、前記単位プレキャストブロック１１の側面に形成された溝部１１ａに前記ジャッキアップ装置１２の有するジグ１２ａ１を係合させることにより行うことを特徴としている。
【００１１】
請求項２に記載の発明によれば、前記単位プレキャストブロックの側面に形成された溝部に前記ジャッキアップ装置の有するジグを係合させることによって、前記単位プレキャストブロックに対する前記ジャッキアップ装置の一部の保持を容易かつ安定的に行うことができる。
【００１２】
請求項３に記載の発明は、例えば図１、図３〜図５に示すように、請求項１または請求項２に記載のコンクリート橋脚の構築方法において、
前記単位プレキャストブロック１１に複数のケーブル部材（ステーケーブル１３）の一端をそれぞれ繋ぐとともに、これらケーブル部材（ステーケーブル１３）の他端を前記単位プレキャストブロック１１の周囲に設置した複数の巻取装置（ウィンチ１４）でそれぞれ緊張状態に巻き取っておくことを特徴としている。
【００１３】
請求項３に記載の発明によれば、前記単位プレキャストブロックを段積みしていくことによって全体として塔状になる複数の単位プレキャストブロックの転倒が、前記複数のケーブル部材で複数方向から緊張されることによって確実に防止される。したがって、コンクリート橋脚の構築を安定的に行うことができる。
【００１４】
なお、前記ケーブル部材は、単位プレキャストブロックに対して高さ方向に複数繋いでもよいことは勿論である。
【００１５】
【発明の実施の形態】
以下、図１〜図３を参照して、本発明に係るコンクリート橋脚の構築方法の実施の形態について詳細に説明する。
【００１６】
本発明に係るコンクリート橋脚１０は、図１に示すように、施工された基礎２０の上部に、平面視矩形の筒状に形成された複数の単位プレキャストブロック１１が順次段積みされて構築されるものである。この方法によってコンクリート橋脚１０が構築された後、最上部に位置する単位プレキャストブロック１１の上部に橋桁が載置されるようにして設置され、橋桁の床版工事および仕上工事が行われて橋が建造される。
【００１７】
単位プレキャストブロック１１の周囲の地盤面上には、この単位プレキャストブロック１１をジャッキアップするためのジャッキアップ装置１２が設置されている。このジャッキアップ装置１２は、複数の油圧ジャッキ１２ａがフレーム部材で連結されてなり、これら油圧ジャッキ１２ａそれぞれは、後述する単位プレキャストブロック１１の側面に形成された溝部１１ａに係合するジグ１２ａ１を有している。
【００１８】
これら複数の油圧ジャッキ１２ａは、単位プレキャストブロック１１の、平面視において対向する一対の辺部に近接して位置しており、互いに連動して伸張または収縮するように構成されている。なお、ジャッキアップ装置１２は、その動作がコンクリート橋脚１０近傍における作業員によってなされるように構成してもよいし、作業員による遠隔操作によってなされるように構成してもよい。
【００１９】
単位プレキャストブロック１１の周囲には、複数のウィンチ１４（巻取装置）が設置されており、このウィンチ１４にはステーケーブル１３（ケーブル部材）の一端が滑車１５を介して巻き取られており、他端が複数の単位プレキャストブロック１１のうち、例えば、最上部に位置する単位プレキャストブロック１１に繋がれている。なお、特に最上部に位置する単位プレキャストブロックに限定されるものでないことは勿論であり、また、ステーケーブル１３に繋がれる単位プレキャストブロック１１が複数であってもよい。
【００２０】
単位プレキャストブロック１１は、図２に示すように、平面視矩形の筒状に形成されている。この単位プレキャストブロック１１の側面には、ジャッキアップ装置１２の油圧ジャッキ１２ａが有するジグ１２ａ１に係合する溝部１１ａが形成されている。
【００２１】
次に、コンクリート橋脚１０を構築する方法について説明する。
【００２２】
先ず、コンクリート橋脚１０の一部を構成し、平面視矩形状に形成された単位プレキャストブロック１１を、コンクリート橋脚１０の構築位置となる地盤面上に配設する。
【００２３】
次に、ジャッキアップ装置１２を設置する。この際、配設された単位プレキャストブロック１１の、平面視において対向する一対の辺部に近接する位置それぞれに油圧ジャッキ１２ａが並設されるようにする。
【００２４】
［ジャッキアップ工程］
次に、複数の油圧ジャッキ１２ａが有するジグ１２ａ１を単位プレキャストブロック１１に形成された溝部１１ａにそれぞれ係合させ、これら油圧ジャッキ１２ａを同時に伸張させる。これにより、図４に示すように、接地した状態の単位プレキャストブロック１１がジャッキアップされ、単位プレキャストブロック１１と地盤面ａとの間には隙間ｂが形成される。
【００２５】
［単位プレキャストブロック挿入工程］
次に、図５に示すように、形成された隙間ｂに、別の新たな単位プレキャストブロック１１を挿入する。別の新たな単位プレキャストブロック１１を所定の位置に配設した後に、油圧ジャッキ１２ａを収縮させる。
【００２６】
以上の［ジャッキアップ工程］と［単位プレキャストブロック挿入工程］とを所定回数繰り返し、コンクリート橋脚１０を設計高さまで構築する。
【００２７】
なお、この際、最上部に位置する単位プレキャストブロック１１が所定高さまで達した時点において、例えば、この単位プレキャストブロック１１に複数のステーケーブル１３の一端をそれぞれ繋ぎ、他端をコンクリート橋脚１０の周囲に設置した複数のウィンチ１４によってそれぞれ巻き取る。この際、平面視においてステーケーブル１３がコンクリート橋脚１０に対して放射状に設けられるようにする。
【００２８】
コンクリート橋脚１０が所定高さまで達したら、このコンクリート橋脚１０の上部に橋桁を載置するようにして設置し、橋桁の床版工事および仕上工事を行う。
【００２９】
本実施の形態によれば、［ジャッキアップ工程］と［単位プレキャストブロック挿入工程］とを所定回数繰り返すことによって、コンクリート橋脚１０の構築を行うことができる。この際、［ジャッキアップ工程］と［単位プレキャストブロック挿入工程］とにおける施工場所は地盤面ａに近い位置での作業となり高所作業が生じないため、コンクリート橋脚１０の構築を安定的に行うことができる。また、従来のように高所となる施工場所に部材を調達するために、作業高さの高いクレーン等を用いる必要がないため、上空部に既設建築物等による高さ制限がある場所においても施工可能である。さらに、コンクリート橋脚１０が既製の単位プレキャストブロック１１で構成されるため、コンクリート品質が向上する。
【００３０】
この際、単位プレキャストブロック１１の側面に形成された溝部１１ａにジャッキアップ装置１２における油圧ジャッキ１２ａの有するジグ１２ａ１を係合させることによって、単位プレキャストブロック１１に対するジャッキアップ装置１２の一部の保持を容易かつ安定的に行うことができる。
【００３１】
また、本実施の形態によれば、単位プレキャストブロック１１を段積みしていくことによって全体として塔状になる複数の単位プレキャストブロック１１の転倒が、複数のステーケーブル１３で複数方向から緊張されることによって確実に防止される。したがって、コンクリート橋脚１０の構築を安定的に行うことができる。
【００３２】
なお、本発明は本実施の形態に限定されるものではなく、本発明の趣旨を逸脱しない範囲で任意の変更が可能である。
【００３３】
例えば、本実施の形態においては、単位プレキャストブロック１１に対するジャッキアップ装置１２の一部を保持する方法として、単位プレキャストブロック１１の側面に形成された溝部１１ａにジャッキアップ装置１２の有するジグ１２ａ１を係合させているが、例えば、単位プレキャストブロック１１の側面に形成された突起部をジャッキアップ装置１２の有するジグで支持させるようにしてもよい。また、単位プレキャストブロック１１の底部と地盤面ａとの間にジャッキアップ装置の有するジグを挿入するようにしてもよい。
【００３４】
また、本実施の形態においては、コンクリート橋脚１０を設計高さまで構築した後に、橋桁を設置する施工方法を記載している。しかし、例えば、最上部に位置する単位プレキャストブロック１１が比較的低所に位置する段階で、この単位プレキャストブロックの上部に橋桁を設置し、この設置された橋桁をコンクリート橋脚１０の構築とともに上方へジャッキアップさせる方法を用いてもよい。
【００３５】
【発明の効果】
請求項１に記載の発明によれば、前記ジャッキアップ工程と前記単位プレキャストブロック挿入工程とを所定回数繰り返すことによって、コンクリート橋脚の構築を行うことができる。この際、前記ジャッキアップ工程と前記単位プレキャストブロック挿入工程とにおける施工場所は地盤面に近い位置での作業となり高所作業が生じないため、コンクリート橋脚の構築を安定的に行うことができる。また、従来のように高所となる施工場所に部材を調達するために、作業高さの高いクレーン等を用いる必要がないため、上空部に既設建築物等による高さ制限がある場所においても施工可能である。さらに、コンクリート橋脚が既製の単位プレキャストブロックで構成されるため、コンクリート品質が向上する。
【００３６】
請求項２に記載の発明によれば、請求項１に記載の発明と同様の効果を得ることができることは勿論のこと、前記単位プレキャストブロックの側面に形成された溝部に前記ジャッキアップ装置の有するジグを係合させることによって、前記単位プレキャストブロックに対する前記ジャッキアップ装置の一部の保持を容易かつ安定的に行うことができる。
【００３７】
請求項３に記載の発明によれば、請求項１または請求項２に記載の発明と同様の効果を得ることができることは勿論のこと、前記単位プレキャストブロックを段積みしていくことによって全体として塔状になる複数の単位プレキャストブロックの転倒が、前記複数のケーブル部材で複数方向から緊張されることによって確実に防止される。したがって、コンクリート橋脚の構築を安定的に行うことができる。
【図面の簡単な説明】
【図１】本発明に係るコンクリート橋脚の構築方法の一工程における、コンクリート橋脚とジャッキアップ装置とを示す、（ａ）は側面図であり、（ｂ）は平面図である。
【図２】本発明に係る単位プレキャストブロックを示す、（ａ）は斜視図、（ｂ）、（ｃ）は、互いに直交方向からの側面図である。
【図３】（ａ）、（ｂ）ともに、本発明に係るコンクリート橋脚の構築方法の一工程を示す、互いに直交方向からの側面図である。
【図４】（ａ）、（ｂ）ともに、本発明に係るコンクリート橋脚の構築方法の一工程を示す、互いに直交方向からの側面図である。
【図５】（ａ）、（ｂ）ともに、本発明に係るコンクリート橋脚の構築方法の一工程を示す、互いに直交方向からの側面図である。
【符号の説明】
１０　　　　　　コンクリート橋脚
１１　　　　　単位プレキャストブロック
１１ａ　　　溝部
１２　　　　　ジャッキアップ装置
１２ａ　　　油圧ジャッキ
１２ａ１　ジグ
１３　　　　　ステーケーブル（ケーブル部材）
１４　　　　　ウィンチ（巻取装置）
【図１】
2004084322.tif 000003
【図２】
2004084322.tif 000004
【図３】
2004084322.tif 000005
【図４】
2004084322.tif 000006
【図５】
2004084322.tif 000007